(57)【要約】【課題】本体部の開口にヒンジ部を介して開閉可能に取り付けられた扉部を備える筐体において、本体部の収納空間に収納された物品へのアクセスを容易にして作業性を向上させるとともに、美観を向上させる。【解決手段】本体部１０と、本体部１０の開口１１にヒンジ部３０を介して開閉可能に取り付けられた扉部２０と、を備える筐体１である。ヒンジ部３０は、本体部１０の内部に突出する回転軸３１と、回転軸３１を挿通させる挿通孔３２と、を有する。本体部１０に対する扉部２０の開き角度が所定角度以上となるまで扉部２０の回転を許容するように本体部１０に切り欠き部１３を形成する。扉部２０が閉じた状態にあるときに本体部１０の切り欠き部１３を塞ぐ蓋部２２を設ける。挿通孔３２を取付部材４０に形成する。締結部材を緩めると取付部材４０が扉部２０に対して相対的に移動し、これにより回転軸３１が挿通孔３２から抜脱する。【選択図】図４
2017084908.tif 000002
【特許請求の範囲】
【請求項１】
内部に収納空間を有するとともに開口を有する本体部と、前記本体部の前記開口にヒンジ部を介して開閉可能に取り付けられた扉部と、を備える筐体であって、
前記ヒンジ部は、前記本体部の内部に突出するように前記本体部に設けられた回転軸と、前記回転軸を挿通させるように前記扉部に設けられた挿通孔と、を有し、前記回転軸が前記挿通孔に挿通されることにより前記本体部に対して前記扉部が前記回転軸を中心に回転するように構成され、
前記本体部に対する前記扉部の開き角度が所定角度以上となるまで前記扉部の回転を許容するように前記本体部の前記回転軸の周囲に切り欠き部が形成されており、
前記扉部には、前記扉部が閉じた状態にあるときに前記本体部の前記切り欠き部を塞ぐ蓋部が設けられており、
前記挿通孔は、締結部材を介して前記扉部に取り付けられた取付部材に形成され、
前記取付部材は、前記締結部材を緩めたときに前記扉部に対して相対的に移動して前記回転軸が前記挿通孔から抜脱するように構成されている、筐体。
【請求項２】
前記切り欠き部は、前記本体部に対する前記扉部の開き角度が１８０°以上となるまで前記扉部の回転を許容するように形成されている、請求項１に記載の筐体。
【請求項３】
前記筐体は、直方体状を呈し、
前記扉部は、直方体の一面となる平坦面を有し、
前記蓋部は、前記平坦面に対して略直交するように前記平坦面に連接された板状部である、請求項１又は２に記載の筐体。
【請求項４】
前記締結部材は、前記扉部に設けられた雌ネジに螺入される雄ネジを有し、前記雄ネジを前記雌ネジに螺入することにより、前記雄ネジの頭部フランジの裏面と、前記雌ネジの周囲面と、によって前記取付部材を挟んで固定するように構成され、
前記雄ネジを前記雌ネジに螺入する方向は、前記扉部の前記平坦面に対して略平行な方向とされる、請求項３に記載の筐体。
【発明の詳細な説明】
【技術分野】
【０００１】
本発明は、筐体に関する。
【背景技術】
【０００２】
従来より、基板等の電子部品を収納して保護する筐体が提案され、実用化されている。現在においては、図９（Ａ）〜（Ｃ）に示すように、内部に収納空間を有する本体部１１０の開口１１１に、筐体１００の外側に設けたヒンジ部１３０を介して扉部１２０を開閉可能に取り付けることにより、本体部１１０の収納空間に収納された電子部品へのアクセスを可能にした技術が提案されている（例えば、特許文献１参照）。
【０００３】
また、近年においては、図１０（Ａ）〜（Ｃ）に示すように、本体部２１０と扉部２２０とを接続するヒンジ部（回転軸）２３０を、筐体２００の内側に設ける技術が提案されている。かかる技術を採用すると、筐体２００の美観を向上させることができる、とされている。
【先行技術文献】
【特許文献】
【０００４】
【特許文献１】実開平７−１０９８４号公報
【発明の概要】
【発明が解決しようとする課題】
【０００５】
しかし、図１０に示すように筐体２００の内側にヒンジ部２３０を設けると、本体部２１０と扉部２２０との干渉により本体部２１０に対する扉部２２０の開き角度が１８０°未満に制限され、本体部２１０の収納空間に収納された電子部品にアクセスし難くなって作業性が低下するという問題があった。ここで、本体部２１０と扉部２２０との干渉を回避するために、図１０（Ｃ）に示すように本体部２１０に切り欠き部２１１を形成することも考えられる。しかしこのようにすると、切り欠き部２１１により筐体２００の美観が損なわれるため、切り欠き部２１１をスポンジ２１２で充填する等の対策を講じる必要があった。
【０００６】
本発明は、かかる状況に鑑みてなされたものであり、内部に収納空間を有するとともに開口を有する本体部と、この本体部の開口にヒンジ部を介して開閉可能に取り付けられた扉部と、を備える筐体において、本体部の収納空間に収納された物品へのアクセスを容易にして作業性を向上させるとともに、美観を向上させることを目的とする。
【課題を解決するための手段】
【０００７】
本発明に係る筐体は、内部に収納空間を有するとともに開口を有する本体部と、本体部の開口にヒンジ部を介して開閉可能に取り付けられた扉部と、を備えるものであって、ヒンジ部は、本体部の内部に突出するように本体部に設けられた回転軸と、回転軸を挿通させるように扉部に設けられた挿通孔と、を有し、回転軸が挿通孔に挿通することにより本体部に対して扉部が回転軸を中心に回転するように構成され、本体部に対する扉部の開き角度が所定角度以上となるまで扉部の回転を許容するように本体部の回転軸の周囲に切り欠き部が形成されており、扉部には、扉部が閉じた状態にあるときに本体部の切り欠き部を塞ぐ蓋部が設けられており、挿通孔は、締結部材を介して扉部に取り付けられた取付部材に形成され、取付部材は、締結部材を緩めたときに扉部に対して相対的に移動して回転軸が挿通孔から抜脱するように構成されているものである。
【０００８】
かかる構成を採用すると、本体部の回転軸の周囲に切り欠き部が形成されているため、本体部に対する扉部の開き角度が所定角度以上となるまで扉部の回転を許容することができるので、本体部の収納空間に収納された物品（例えば電子部品）へのアクセスが容易となり、作業性を向上させることができる。また、扉部には蓋部が設けられており、扉部が閉じた状態にあるときに本体部の切り欠き部を塞ぐことができるので、切り欠き部を通して筐体内部が外部から視認されるのを防ぐことができ、筐体の美観を向上させることができる。さらに、ヒンジ部の挿通孔は、扉部に取り付けられた別部材（取付部材）に形成されており、締結部材を緩めることにより取付部材を扉部に対して相対的に移動させて、本体部に設けられた回転軸を挿通孔から抜脱させることができる。従って、締結部材を緩めることにより、本体部から扉部を容易に取り外すことができるので、本体部の収納空間に収納された物品へのアクセスが一層容易となる。
【０００９】
本発明に係る筐体において、本体部に対する扉部の開き角度が１８０°以上となるまで扉部の回転を許容するように切り欠き部を形成することができる。
【００１０】
かかる構成を採用すると、本体部に対する扉部の開き角度が１８０°以上となるまで扉部の回転を許容することができるので、本体部の収納空間に収納された物品へのアクセスがより一層容易となる。
【００１１】
本発明において、直方体状を呈する筐体を採用し、直方体の一面となる平坦面を有する扉部を採用するとともに、扉部の平坦面に対して略直交するように平坦面に連接された板状部を蓋部として採用することができる。かかる場合において、扉部に設けられた雌ネジに螺入される雄ネジを有する締結部材を採用し、雄ネジを雌ネジに螺入することにより、雄ネジの頭部フランジの裏面と、雌ネジの周囲面と、によって取付部材を挟んで固定することができる。この際、雄ネジを雌ネジに螺入する方向を、扉部の平坦面に対して略平行な方向とすることができる。
【００１２】
かかる構成を採用すると、締結部材の締結方向（雄ネジを雌ネジに螺入する方向）が扉部の平坦面に対して略平行（蓋部に対して略垂直）な方向とされているため、作業者が扉部の平坦面に沿った比較的小さなスペースで締結作業（又は締結状態を緩める作業）を行うことができる。従って、扉部を大きく開けることができないような状況においても、本体部から扉部を比較的容易に取り外すことができる。
【発明の効果】
【００１３】
本発明によれば、内部に収納空間を有するとともに開口を有する本体部と、この本体部の開口にヒンジ部を介して開閉可能に取り付けられた扉部と、を備える筐体において、本体部の収納空間に収納された物品へのアクセスを容易にして作業性を向上させるとともに、美観を向上させることが可能となる。
【図面の簡単な説明】
【００１４】
【図１】本発明の実施形態に係る筐体の扉部閉状態における正面図である。
【図２】本発明の実施形態に係る筐体の扉部閉状態における上面図である。
【図３】本発明の実施形態に係る筐体の扉部閉状態における側面図である。
【図４】本発明の実施形態に係る筐体の扉部９０°開状態における正面図である。
【図５】本発明の実施形態に係る筐体の扉部９０°開状態における上面図である。
【図６】本発明の実施形態に係る筐体の扉部９０°開状態において扉部を取り外した状態を示す図である。
【図７】本発明の実施形態に係る筐体の扉部１８０°開状態における正面図である。
【図８】本発明の実施形態に係る筐体の扉部１８０°開状態における上面図である。
【図９】従来の（ヒンジ部が筐体外側にある）電子部品収納用筐体を示すものであり、（Ａ）は正面図、（Ｂ）は上面図、（Ｃ）は側面図である。
【図１０】従来の（ヒンジ部が筐体内側にある）電子部品収納用筐体を示すものであり、（Ａ）は正面図、（Ｂ）は上面図、（Ｃ）は側面図である。
【発明を実施するための形態】
【００１５】
以下、本発明の実施形態について、図面を参照しながら詳細に説明する。なお、図面は実際の寸法を示すものではなく、具体的な寸法等は以下の説明を照らし合わせて判断するべきものである。また、図面相互間においても互いの寸法の関係や比率が異なる部分が含まれていることは勿論である。
【００１６】
まず、図１〜図８を用いて、本発明の実施形態に係る筐体１の構成について説明する。本実施形態に係る筐体１は、図１に示すように直方体状を呈しており、開口１１を有する本体部１０と、本体部１０の開口１１の右側の縁部にヒンジ部３０を介して開閉可能に取り付けられた扉部２０と、を備えるものである。
【００１７】
本体部１０の内部には、図４及び図７に示すように、各種物品（例えば電子部品）を収納するための収納空間１２が形成されている。本体部１０の開口１１付近には、図１、図３、図６、図７に示すように、本体部１０の内部に突出するように上下一対の回転軸３１が設けられている。回転軸３１は、後述する挿通孔３２とともにヒンジ部３０を構成するものである。また、本体部１０の回転軸３１の周囲には、図２、図５、図８に示すように、切り欠き部１３が形成されている。切り欠き部１３は、扉部２０の回転軸３１近傍の端縁２０ａの回転経路にある本体部１０の側壁部分に形成されており、本体部１０に対する扉部２０の開き角度が所定角度（１８０°）以上となるまで扉部２０の回転を許容するものである。
【００１８】
扉部２０は、図１〜図３に示すように、直方体の一面となる平坦面２１を有している。また、扉部２０には、図２及び図３に示すように、扉部２０が閉じた状態にあるときに本体部１０の切り欠き部１３を塞ぐ蓋部２２が設けられている。本実施形態における蓋部２２は、平坦面２１に対して略直交するように平坦面２１に連接された板状部である。蓋部２２により、扉部２０が閉じた状態にあるときに本体部１０の切り欠き部１３を塞ぐことができるので、切り欠き部１３を通して筐体１の内部が外部から視認されるのを防ぐことができ、筐体１の美観を向上させることができる。
【００１９】
ヒンジ部３０は、本体部１０の内部に設けられた前述の回転軸３１と、回転軸３１を挿通させるように扉部２０に設けられた挿通孔３２と、を有しており、回転軸３１が挿通孔３２に挿通されることにより本体部１０に対して扉部２０が回転軸３１を中心に回転するようになっている。上方の挿通孔３２は、図４〜図８に示すように、後述する締結部材（雄ネジ５０等）を介して扉部２０に取り付けられた取付部材４０に形成されている。取付部材４０は、図６に示すように、締結部材を緩めたときに扉部２０に対して下方（図６の矢印方向）にスライド（相対的に移動）するように構成されており、このように取付部材４０が下方にスライドすることにより、上方の回転軸３１が上方の挿通孔３２から抜脱するようになっている。
【００２０】
締結部材は、図４、図６、図７に示すように、扉部２０に設けられた（図示されていない）雌ネジに螺入される雄ネジ５０を有しており、雄ネジ５０を雌ネジに螺入することにより、雄ネジ５０の頭部フランジ５１の裏面と、雌ネジの周囲面６０と、によって取付部材４０を挟んで固定することができるようになっている。本実施形態においては、雄ネジ５０を雌ネジに螺入する方向（締結方向）を、扉部２０の平坦面２１に対して略平行な方向に設定している。このようにすることにより、作業者が扉部２０の平坦面２１に沿った比較的小さなスペースで締結作業（又は締結状態を緩める作業）を行うことができる。
【００２１】
次に、本実施形態に係る筐体１の動きについて説明する。
【００２２】
＜閉状態＞
まず、図１〜図３に示すように筐体１の扉部２０を閉じた状態においては、本体部１０の収納空間１２に収納した各種物品（例えば電子部品）に、例えば作業者の指が不用意に接触することを回避することが可能となるため、当該各種物品を適切に保護することができる。本実施形態に係る筐体１は、図１及び図３に示すように、ヒンジ部３０（回転軸３１、挿通孔３２）が本体部１０の内部に設けられているため、美観が損なわれることがない。また、本実施形態に係る筐体１は、図２及び図３に示すように、扉部２０を閉じた状態において切り欠き部１３が蓋部２２によって塞がれているため、美観を維持することができる。
【００２３】
＜開状態＞
次いで、図４〜図６に示すように筐体１の扉部２０を本体部１０に対して９０°回転させると、本体部１０の開口１１を介して、本体部１０の収納空間１２に収納した各種物品に作業者がアクセスすることができる。扉部２０を本体部１０に対して９０°回転させた状態で作業がし難い場合は、図７及び図８に示すように本体部１０に対して１８０°の角度まで扉部２０をさらに回転させることができる。一方、扉部２０をさらに回転させるスペースが確保できない場合には、図６に示すように締結部材を緩め、取付部材４０を下方にスライドさせることにより、上方の回転軸３１を上方の挿通孔３２から抜脱させ、次いで下方の回転軸３１を下方の挿通孔３２から抜脱させて、扉部２０を本体部１０から取り外すことができる。このようにすると、本体部１０の収納空間１２に作業者がアクセスし易くなる。
【００２４】
以上説明した実施形態に係る筐体１においては、本体部１０の回転軸３１の周囲に切り欠き部１３が形成されているため、本体部１０に対する扉部２０の開き角度が所定角度（１８０°）以上となるまで扉部２０の回転を許容することができるので、本体部１０の収納空間１２に収納された物品（例えば電子部品）へのアクセスが容易となり、作業性を向上させることができる。また、扉部２０には蓋部２２が設けられており、扉部２０が閉じた状態にあるときに本体部１０の切り欠き部１３を塞ぐことができるので、切り欠き部１３を通して筐体１の内部が外部から視認されるのを防ぐことができ、美観を向上させることができる。さらに、ヒンジ部３０の挿通孔３２は、扉部２０に取り付けられた別部材（取付部材４０）に形成されており、締結部材を緩めることにより取付部材４０を扉部２０に対して相対的に移動させて、本体部１０に設けられた回転軸３１を挿通孔３２から抜脱させることができる。従って、締結部材を緩めることにより、本体部１０から扉部２０を容易に取り外すことができるので、本体部１０の収納空間１２に収納された物品へのアクセスが一層容易となる。
【００２５】
また、以上説明した実施形態に係る筐体１においては、締結部材の締結方向（雄ネジ５０を雌ネジに螺入する方向）が扉部２０の平坦面２１に対して略平行（蓋部２２に対して略垂直）な方向とされているため、作業者が扉部２０の平坦面２１に沿った比較的小さなスペースで締結作業（又は締結状態を緩める作業）を行うことができる。従って、扉部２０を大きく開けることができないような状況においても、本体部１０から扉部２０を比較的容易に取り外すことができる。
【００２６】
なお、以上の実施形態においては、直方体状（四角柱状）を呈する筐体に本発明を適用した例を示したが、筐体の立体形状はこれに限られるものではない。例えば、他の多角柱状（三角柱状、五角柱状、六角柱状等）を呈する筐体に本発明を適用することもできる。
【００２７】
また、以上の実施形態においては、本体部１０の開口１１の右側の縁部にヒンジ部３０を介して扉部２０を取り付けた例を示したが、同様のヒンジ部を介して、開口１１の左側、上側又は下側の縁部に扉部を取り付けてもよい。また、扉部の面積を半分にし、同様のヒンジ部を介して開口の左右（又は上下）の縁部に扉部を取り付けることもできる。
【００２８】
本発明は、以上の実施形態に限定されるものではなく、この実施形態に当業者が適宜設計変更を加えたものも、本発明の特徴を備えている限り、本発明の範囲に包含される。すなわち、上記実施形態が備える各要素及びその配置、材料、条件、形状、サイズ等は、例示したものに限定されるわけではなく適宜変更することができる。また、上記実施形態が備える各要素は、技術的に可能な限りにおいて組み合わせることができ、これらを組み合わせたものも本発明の特徴を含む限り本発明の範囲に包含される。
【符号の説明】
【００２９】
１…筐体
１０…本体部
１１…開口
１２…収納空間
１３…切り欠き部
２０…扉部
２１…平坦面
２２…蓋部
３０…ヒンジ部
３１…回転軸
３２…挿通孔
４０…取付部材
５０…雄ネジ（締結部材）
５１…（雄ネジの）頭部フランジ
６０…（雌ネジの）周囲面
【図１】
2017084908.tif 000003
【図２】
2017084908.tif 000004
【図３】
2017084908.tif 000005
【図４】
2017084908.tif 000006
【図５】
2017084908.tif 000007
【図６】
2017084908.tif 000008
【図７】
2017084908.tif 000009
【図８】
2017084908.tif 000010
【図９】
2017084908.tif 000011
【図１０】
2017084908.tif 000012